(57)【要約】【課題】この発明は利用者が立ち上がったり、座る際に、肘かけ体に掛けた手が滑るのを防止した椅子を提供することにある。【解決手段】基体１と、この基体に前端部を回動可能に連結して設けられた座部体４と、一端が上記基体に連結され他端が上記座部体の後端部に連結して設けられ作動させることで伸張して上記座部体を前端部を支点として後端部が上昇する方向に回動させるガススプリング１１と、上記座部体の幅方向の端部にこの座部体の前後方向に沿って設けられ先端部に手掛け部が形成された肘かけ体１０と、この肘かけ体の先端部の下面側に設けられその操作によって上記ガススプリングを作動させる操作レバーの操作部２８ｃとを具備する。【選択図】　　図３
2004089570.tif 000002
【特許請求の範囲】
【請求項１】
基体と、
この基体に前端部を回動可能に連結して設けられた座部体と、
一端が上記基体に連結され他端が上記座部体の後端部に連結して設けられ作動させることで伸張して上記座部体を前端部を支点として後端部が上昇する方向に回動させるガススプリングと、
上記座部体の幅方向の端部にこの座部体の前後方向に沿って設けられ先端部に手掛け部が形成された肘かけ体と、
この肘かけ体の先端部の下面側に設けられその操作によって上記ガススプリングを作動させる操作レバーと、
を具備したことを特徴とする椅子。
【請求項２】
上記手掛け部は、上記肘かけ体の先端部を上方に向けて湾曲させた湾曲部であることを特徴とする請求項１記載の椅子。
【発明の詳細な説明】
【０００１】
【発明の属する技術分野】
この発明は足腰の筋力が低下した利用者が使用するのに好適する椅子に関する。
【０００２】
【従来の技術】
足腰の筋力が弱っている利用者が椅子の座部体に座ったり、立ち上がることは容易でなく、介助者の介助が必要なことがある。しかしながら、介助者が足腰の筋力が弱っている利用者を椅子から立ち上がらせたり、座らせる場合、介助者に掛かる負担が大きくなる。そのため、介助者に掛かる負担を軽減することができる椅子の開発が望まれている。
【０００３】
通常、椅子は基体を有し、この基体には利用者が着座するための座部体が設けられている。この座部体は基体にほぼ水平に設けられている。そのため、上記座部体に着座するとき、利用者は臀部を座部体の高さ位置まで深く降ろさなければならないから、その動作が足腰に大きな負担を掛けることになる。
【０００４】
また、利用者が立ち上がるときには、座部体に深く降ろした臀部を上げなければならず、しかも脚部を曲げた状態から伸ばさなければならないから、座るとき以上に大きな負担となる。
【０００５】
そこで、椅子の基体に上記座部体の前端部を回動可能に連結し、この座部体の後端部と上記基体との間に、作動させることによって伸張するガススプリングを設ける。
【０００６】
それによって、上記ガススプリングを作動させて伸張させれば、上記座部体は前端部を支点として後端部が上昇する方向に回動するから、利用者はガススプリングの付勢力によって比較的容易に立ち上がることができる。また、座るときには座部体を予め上昇させておき、その座部体に臀部を当てた後、臀部を降ろしながら座部体をガススプリングの付勢力に抗して倒伏方向に回動させる。それによって、利用者は臀部を深く降ろすことなく座部体に当て、この座部体とともにガススプリングの付勢力に抗して緩やかに降ろすことができるから、比較的容易に座ることが可能となる。
【０００７】
上記座部体の両側には肘かけ体を設けるようにしている。そして、利用者は肘かけ体に手を掛けて立ち上がったり、座るようにすることで、その動作を安定した状態で容易に行なうことができるようにしている。
【０００８】
【発明が解決しようとする課題】
ところで、利用者は立ち上がったり、座るときに肘かけ体の前端部に手を掛けるようにしている。つまり、肘かけ体の前端部に手を掛け、この肘かけ体の先端部を下方へ押すことで、利用者は立ち上がるときには座部体に起立する方向の力を加えることができ、座るときには座部体が緩やかに倒伏するよう力を加えることができる。それによって、利用者が立ち上がったり、座るときの座部体の回動速度を調整し、足腰に掛かる負担を軽減することが可能となる。
【０００９】
しかしながら、利用者が立ったり、座ったりするときに、肘かけ体の前端部に手を掛け、この肘かけ体を下方へ押圧すると、その前端部から手が滑ることがあり、そのような場合、利用者は身体のバランスを崩して前方に倒れたり、身体の一部を椅子にぶつける虞がある。
【００１０】
この発明は、利用者が立ったり、座ったりする際に肘かけ体の先端部に掛けた手が滑るのを防止できるようにした椅子を提供することにある。
【００１１】
【課題を解決するための手段】
請求項１の発明は、基体と、
この基体に前端部を回動可能に連結して設けられた座部体と、
一端が上記基体に連結され他端が上記座部体の後端部に連結して設けられ作動させることで伸張して上記座部体を前端部を支点として後端部が上昇する方向に回動させるガススプリングと、
上記座部体の幅方向の端部にこの座部体の前後方向に沿って設けられ先端部に手掛け部が形成された肘かけ体と、
この肘かけ体の先端部の下面側に設けられその操作によって上記ガススプリングを作動させる操作レバーと、
を具備したことを特徴とする椅子にある。
【００１２】
請求項２の発明は、上記手掛け部は、上記肘かけ体の先端部を上方に向けて湾曲させた湾曲部であることを特徴とする請求項１記載の椅子にある。
【００１３】
この発明によれば、肘かけ体の先端部に手掛け部を形成したため、利用者が立ったり、座ったりする際に肘かけ体の先端部に掛けた手が滑るのを防止することができる。
【００１４】
【発明の実施の形態】
以下、この発明の一実施の形態を図面を参照しながら説明する。
【００１５】
図１（ａ），（ｂ）はこの発明の椅子の側面図であって、この椅子は同図に鎖線で示す基体１を備えている。この基体１は背部２と座部３とを有し、この座部３の先端部には座部体４の先端部の下面の幅方向両端部に設けられた一対の連結片５（一方のみ図示）が支軸６によって回動可能に連結されている。
【００１６】
上記座部体４は、矩形状の座板７の上面にクッション体８が設けられ、幅方向両側には支持部材９（一方のみ図示）が立設され、この支持部材９の上端には帯板状の肘かけ体１０が前後方向に沿って設けられている。この肘かけ体１０の先端部には、この先端部を上方に向かって湾曲した湾曲部からなる手掛け部１０ａが形成されている。そして、座部体４は、座部３の上面に支持されてほぼ水平になった状態から後述するごとく後端部が上昇する方向に回動可能になっている。
【００１７】
上記座部体４はガススプリング１１によって上昇方向に駆動されるようになっている。図２（ｂ）に示すように、このガススプリング１１はシリンダ１２と、このシリンダ１２に収納されガス圧によって突出方向に付勢されたロッド１３と、このロッド１３の先端から突出した作動子１４とを有する。この作動子１４を押圧することで、上記ロッド１３がガス圧によって突出方向に付勢されるようになっている。
【００１８】
上記ガススプリング１１は、シリンダ１２の後端が上記座部３の先端下部に設けられた第１のブラケット１５に支軸１６によって枢着され、ロッド１３の先端部に設けられた取付け片１７が上記座部体４の後端部下面に設けられた第２のブラケット１８に支軸１９によって枢着されている。
【００１９】
上記取付け片１７には作動杆２１の一端が支軸２２によって回動可能に取付けられている。この作動杆２１は、中途部を上記ロッド１３の先端から突出させた上記作動子１４に対向させ、他端にはワイヤ２３の一端が連結されている。
【００２０】
上記ワイヤ２３は可撓チューブ２４に挿通されている。この可撓チューブ２４は一端を上記ロッド１３の先端部に設けられたクランク状の第１の取付け具２５に固定され、他端は上記座部体４の一方の肘かけ体１０の先端部に形成された手掛け部１０ａの下面に設けられた第２の取付け具２６に取付け固定されている。
【００２１】
図２（ａ）に示すように、上記可撓チューブ２４の他端から突出したワイヤ２３の他端はＬ字状の操作レバー２８の一端部に連結されている。この操作レバー２８は、中途部に上記第２の取付け具２６に設けられた支軸２７に回動可能に支持された環状部２８ａが設けられ、上記ワイヤ２３の他端が連結された一端部が連結部２８ｂとなっている。さらに、操作レバー２８の他端部は上記手掛け部１０ａの下面に位置する操作部２８ｃとなっていて、この操作部２８ｃを図２（ａ）に矢印で示す上昇方向に回動させることで、上記ワイヤ２３の他端が引かれるようになっている。
【００２２】
上記操作レバー２８を回動操作してワイヤ２３を引くと、このワイヤ２３の他端に連結された作動杆２１が支軸２２を支点として回動する。それによって、この作動杆２１の中途部がガススプリング１１の作動子１４を押圧するから、ロッド１３がガス圧によってシリンダ１２から突出する方向に付勢されることになる。
【００２３】
ロッド１３がシリンダ１２から突出すると、図１（ｂ）に示すように座部体４が支軸６を支点として後端が上昇する方向に回動する。上昇した座部体４を下降させるには、操作レバー２８によってガススプリング１１の作動子１４を押圧した状態で座部体４に下降方向の力を加えれば、ロッド１３がガス圧に抗してシリンダ１２内に没入するから、上記座部体４を図１（ａ）に示すようにほぼ水平となる状態まで下降させることができる。
【００２４】
つぎに上記構成の椅子を使用する場合について説明する。
【００２５】
利用者Ｕが着座する場合には、座部体４を図１（ｂ）や図３に示すように予め最大角度で上昇させておく。この状態で、利用者Ｕは図３に示すように臀部を上昇した座部体４に当てながら、手の平ｈを肘かけ体１０の手掛け部１０ａに掛け、この手掛け部１０ａの先端から突出した指ｆで、上記手掛け部１０ａの下面側に設けられた操作レバー２８の操作部２８ｃを握り、この操作レバー２８を回動操作させる。それによって、ワイヤ２３が引かれてガススプリング１１の作動子１４が作動杆２１によって押圧されるから、ガススプリング１１のロック状態が解除される。
【００２６】
ガススプリング１１のロックが解除された状態で、利用者Ｕが座部体４を臀部で押圧すると、この座部体４がガススプリング１１の付勢力に抗して下方へ回動する。それによって、座部体４はほぼ水平になるまで倒伏するから、利用者Ｕはその座部体４に着座することができる。
【００２７】
このとき、利用者Ｕは肘かけ体１０の先端部の手掛け部１０ｃに掛けた手の平ｈに力を入れて肘かけ体１０の先端部を図３に矢印で示す斜め下方に押圧する。それによって、座部体４をガススプリング１１の付勢力に抗する速度よりも遅い速度で下降方向に回動させることができるから、利用者Ｕの足腰に掛かる負担を軽減することができる。しかも、利用者Ｕは上昇した座部体４に臀部を当てながら着座することができるから、そのことによっても着座時に足腰に掛かる負担を軽減することができる。
【００２８】
上記手掛け部１０ａは上方に向かって湾曲した湾曲部からなる。そのため、着座時に手の平ｈに力を入れて手掛け部１０ａを下方に押圧しても、その手の平ｈが手掛け部１０ａから滑りにくいため、着座時に利用者Ｕが身体のバランスを崩して前方に倒れるなどのことを防止できる。
【００２９】
上記操作レバー２８の操作部２８ｃは手掛け部１０ａの下面側に設けられている。そのため、利用者Ｕは手掛け部１０ａに手の平ｈを掛け、肘かけ体１０の先端部に力を加えながら、その手の指ｆで上記操作部２８ａを握って操作することができる。つまり、ガススプリング１１を操作しながら、座部体４に力を加えてその回動速度を調整することができる。
【００３０】
ほぼ水平に倒伏した座部体４に着座した利用者Ｕが立ち上がる場合、着座時と同様、手の平ｈを手掛け部１０ａに掛け、指ｆで操作部２８ｃを握って操作レバー２８を操作して作動子１４を押圧し、ガススプリング１１のロックを解除する。
【００３１】
それによって、座部体４はガススプリング１１の付勢力によって上昇方向に付勢され、その座部体４によって利用者Ｕの臀部が上方に押圧されるため、利用者Ｕは足腰に掛かる負担を軽減しながら立ち上がることができる。
【００３２】
このとき、利用者Ｕは肘かけ体１０の手掛け部１０ａに掛けた手の平ｈに力を入れて肘かけ体１０の前端部を下方に押圧する。それによって、座部体４に作用するガススプリング１１の付勢力が十分でなくても、座部体４を上昇方向に回動させることができるから、利用者Ｕは座部体４によって臀部が押し上げられながら立ち上がることができる。
【００３３】
利用者Ｕが立ち上がるときも、肘かけ体１０の手掛け部１０ａに掛けた利用者Ｕの手の平ｈは滑り難いため、手掛け部１０ａから手の平ｈを滑らすことなく、確実に立ち上がることができる。
【００３４】
上記一実施の形態では肘かけ体の先端部に、上方に湾曲した湾曲部によって手掛け部を形成したが、肘かけ体の先端部の上面に円弧状の凸部を設け、この凸部によって手掛け部を形成するようにしてもよく、さらに肘かけ体の先端部の上面に幅方向に沿う複数の突条を長手方向に対して所定間隔で形成して手掛け部としてもよく、要は利用者が手の平を掛けて力を加えたときに、滑りにくい形状であればよい。
【００３５】
【発明の効果】
以上のようにこの発明によれば、座部体に設けられた肘かけ体の先端部に手掛け部を形成し、この先端部の下面にガススプリングを作動させるための操作レバーを設けるようにした。
【００３６】
そのため、肘かけ体の先端部に掛けた手が上記手掛け部によって滑るのが防止されるから、利用者は安定した状態で確実に立ち上がったり、座ることができる。しかも、ガススプリングを作動させる操作レバーが肘かけ体の先端部の下面に設けられているから、手掛け部に手を掛けた状態で上記操作レバーを操作することができる。
【図面の簡単な説明】
【図１】（ａ），（ｂ）はこの発明の一実施の形態を示す椅子の側面図。
【図２】（ａ）は肘かけ体の先端部の拡大図、（ｂ）は座部体の後端部の拡大図。
【図３】利用者が利用している状態を示す椅子の側面図。
【符号の説明】
１…基体
４…座部体
１０…肘かけ体
１１…ガススプリング
２８…操作レバー
【図１】
2004089570.tif 000003
【図２】
2004089570.tif 000004
【図３】
2004089570.tif 000005